(57)【要約】【課題】  耐火部材の数量を削減して、コストを低減しつつ、国際安全規格を満たすことができる端子接続構造体を提供すること。【解決手段】  端子接続箱体５０は、突出部７６のない外面に対して最も近い側に配列されている３つの端子挿入口５５以外の３つの端子挿入口５５において、雄端子と雌端子とを接続して電気的接続部Ｐを形成している。そして、上記突出部７６のある外面の各面において、この各面に平行でかつこの各面の上記突出部７６に接する仮想面Ｆを形成する。上記突出部７６のない外面において、この外面に平行でかつこの外面に接する仮想面Ｆを形成する。このように、上記端子接続箱体５０に対して４つの上記仮想面Ｆを形成するとき、この４つの仮想面Ｆと上記電気的接続部Ｐとの間の距離は、耐火の安全規格の一定の寸法以上である。【選択図】  図５
2006196303.tif 000002
【特許請求の範囲】
【請求項１】
４つの外面を有する断面略矩形の端子接続箱体を備え、
この端子接続箱体は、上記４つの外面に沿ってマトリクス状に配列されている複数の端子挿入口を有し、
上記端子接続箱体は、上記４つの外面の内の１ないし３つの外面の各面に、突出部を有し、
上記突出部のない外面の各面に対して最も近い側に配列されている上記端子挿入口以外の上記端子挿入口において、上記雄端子と上記雌端子とを接続して電気的接続部を形成し、
上記突出部のある外面の各面において、この各面に平行でかつこの各面の上記突出部に接する仮想面を形成すると共に、上記突出部のない外面の各面において、この各面に平行でかつこの各面に接する仮想面を形成して、上記端子接続箱体に対して４つの上記仮想面を形成するとき、
上記４つの仮想面と上記電気的接続部との間の距離は、耐火の安全規格の一定の寸法以上であることを特徴とする端子接続構造体。
【請求項２】
請求項１に記載の端子接続構造体において、
上記端子接続箱体は、
上記雄端子を内部に取り付ける断面略矩形の第１のコネクタと、
上記雌端子を内部に取り付ける断面略矩形の第２のコネクタと
を有し、
上記第１のコネクタと上記第２のコネクタは接続され、上記雄端子と上記雌端子は接続され、
上記端子接続箱体の上記突出部は、
上記第１のコネクタの外面に設けられた係合部と、
上記第１のコネクタの係合部と係合すると共に上記第２のコネクタの外面に設けられた係合部と
を含むことを特徴とする端子接続構造体。
【請求項３】
請求項１に記載の端子接続構造体において、
上記端子接続箱体は、
上記雄端子を内部に取り付ける断面略矩形の第１のコネクタと、
上記雌端子を内部に取り付ける断面略矩形の第２のコネクタと、
上記第１のコネクタの上記雄端子の入力側に取り付けられて上記雄端子を抜け止めする第１のリテーナと、
上記第２のコネクタの上記雌端子の入力側に取り付けられて上記雌端子を抜け止めする第２のリテーナと
を有し、
上記第１のコネクタと上記第２のコネクタは接続され、上記雄端子と上記雌端子は接続され、
上記第１のリテーナは、上記第１のコネクタから突出している外鍔部を有し、
上記第２のリテーナは、上記第２のコネクタから突出している外鍔部を有し、
上記第１のコネクタの外面には、上記第１のリテーナの外鍔部に係止して、上記第１のリテーナが上記第１のコネクタから抜けるのを防止する係止片が設けられ、
上記第２のコネクタの外面には、上記第２のリテーナの外鍔部に係止して、上記第２のリテーナが上記第２のコネクタから抜けるのを防止する係止片が設けられ、
上記端子接続箱体の上記突出部は、上記第１のコネクタの係止片と、上記第２のコネクタの係止片とを含むことを特徴とする端子接続構造体。
【請求項４】
請求項１に記載の端子接続構造体において、
上記端子接続箱体は、
上記雄端子を内部に取り付ける断面略矩形の第１のコネクタと、
上記雌端子を内部に取り付ける断面略矩形の第２のコネクタと
を有し、
上記第１のコネクタと上記第２のコネクタは接続され、上記雄端子と上記雌端子は接続され、
上記端子接続箱体の上記突出部は、上記第１のコネクタの外面または上記第２のコネクタの外面に設けられた突起部を含むことを特徴とする端子接続構造体。
【請求項５】
請求項１に記載の端子接続構造体を備えることを特徴とする冷蔵庫。
【発明の詳細な説明】
【技術分野】
【０００１】
この発明は、例えば、家庭用電気機器内に設置される端子接続構造体、および、この端子接続構造体を備える冷蔵庫に関する。
【背景技術】
【０００２】
従来より、端子接続構造体は、雄端子を内部に取り付ける断面略矩形の第１のコネクタと、雌端子を内部に取り付ける断面略矩形の第２のコネクタとを有し、上記第１のコネクタと上記第２のコネクタとを接続すると共に雄端子と雌端子とを接続して断面略矩形のコネクタ結合体を形成している（特開平３−３７９７７号公報：特許文献１参照）。
【０００３】
このコネクタ結合体の４つの外面の内の１つの面のみに、ストッパとしての突起部を有し、他の３つの面には、突起部を有していない。この他の３つの面の各面に対して最も近い側に配列されている端子挿入口において、上記雄端子と上記雌端子とを接続して電気的接続部を形成している。
【０００４】
そして、上記他の３つの面において、他の部材が、上記雄端子と上記雌端子との上記電気的接続部から、耐火の安全規格の一定の寸法（以下、一定の寸法という。）内に進入する欠点がある。すなわち、上記他の３つの面において、安全規格寸法を確保することができない。
【０００５】
そこで、従来、図１０に示すように、２つの上記コネクタ結合体１００，１００を、寸法確保のための難燃性クッション材１０１にて包み、この難燃性クッション材１０１を耐火性金属テープ１０２にて覆っていた。
【０００６】
具体的に述べると、国際安全規格IEC60335-1(Safety of household and similar electrical appliances. Part 1:General requirements.家庭用電気機器の安全性 パート1:一般要求)により、0.2A以上の電流が流れる電線接続の上記コネクタ結合体１００にて、十分な耐火構造および電気的接続点からの寸法確保を実施するために、3mmの上記難燃性クッション材１０１と、この難燃性クッション材１０１の周辺にニードルフレーム試験に耐えうる耐火性金属テープ１０２とを必要としていた。
【０００７】
しかしながら、上記従来の端子接続構造体では、国際安全規格を満たすために、上記難燃性クッション材１０１および上記耐火性金属テープ１０２の二つの耐火部材を必要としていたので、部品数が増加して、コスト高であった。
【特許文献１】特開平３−３７９７７号公報
【発明の開示】
【発明が解決しようとする課題】
【０００８】
そこで、この発明の課題は、耐火部材の数量を削減して、コストを低減しつつ、国際安全規格を満たすことができる端子接続構造体を提供することにある。
【課題を解決するための手段】
【０００９】
上記課題を解決するため、この発明の端子接続構造体は、
４つの外面を有する断面略矩形の端子接続箱体を備え、
この端子接続箱体は、上記４つの外面に沿ってマトリクス状に配列されている複数の端子挿入口を有し、
上記端子接続箱体は、上記４つの外面の内の１ないし３つの外面の各面に、突出部を有し、
上記突出部のない外面の各面に対して最も近い側に配列されている上記端子挿入口以外の上記端子挿入口において、上記雄端子と上記雌端子とを接続して電気的接続部を形成し、
上記突出部のある外面の各面において、この各面に平行でかつこの各面の上記突出部に接する仮想面を形成すると共に、上記突出部のない外面の各面において、この各面に平行でかつこの各面に接する仮想面を形成して、上記端子接続箱体に対して４つの上記仮想面を形成するとき、
上記４つの仮想面と上記電気的接続部との間の距離は、耐火の安全規格の一定の寸法（以下、一定の寸法という。）以上であることを特徴としている。
【００１０】
ここで、上記突出部のない外面の各面に対して最も近い側に配列されている上記端子挿入口において、上記雄端子と上記雌端子とを接続して上記電気的接続部を形成した場合、この電気的接続部と、上記突出部のない外面側の上記仮想面との間の距離は、上記一定の寸法よりも小さい。
【００１１】
また、略矩形とは、長方形や菱形等の四角形を含み、角は、とがっていてもよく、丸くてもよく、または、面取り等されていてもよく、また、辺は、直線であってもよく、または、若干湾曲していてもよい。
【００１２】
この発明の端子接続構造体によれば、上記４つの仮想面と上記電気的接続部との間の距離は、上記一定の寸法以上であるので、上記突出部によって、他の部材が、上記電気的接続部から上記一定の寸法内に進入するのを防ぐことができる。このように、他の部材と上記一定の寸法を確実に確保できると共に、上記端子接続箱体を無駄に厚くする必要がなく、部品数を削減して、コストを低減できる。例えば、上記一定の寸法は、３ｍｍであり、簡単な構造にて、この安全規格寸法を確保しつつ、他の耐火部材を不要にできる。
【００１３】
また、上記突出部のない外面の各面に対して最も近い側に配列されている上記端子挿入口以外の上記端子挿入口において、上記雄端子と上記雌端子とを接続して電気的接続部を形成することで、この電気的接続部と、上記突出部のない外面側の上記仮想面との間の距離を、上記一定の寸法以上にしているので、既存のコネクタを利用することができる。また、この端子接続構造体が、耐火の規格規定の適用から除外されると、この端子接続構造体は、上記突出部のない外面の各面に対して最も近い側に配列されている上記端子挿入口において、上記雄端子と上記雌端子とを接続して上記電気的接続部を形成することができる。
【００１４】
また、一実施形態の端子接続構造体では、
上記端子接続箱体は、
上記雄端子を内部に取り付ける断面略矩形の第１のコネクタと、
上記雌端子を内部に取り付ける断面略矩形の第２のコネクタと
を有し、
上記第１のコネクタと上記第２のコネクタは接続され、上記雄端子と上記雌端子は接続され、
上記端子接続箱体の上記突出部は、
上記第１のコネクタの外面に設けられた係合部と、
上記第１のコネクタの係合部と係合すると共に上記第２のコネクタの外面に設けられた係合部と
を含む。
【００１５】
この一実施形態の端子接続構造体によれば、上記端子接続箱体の上記突出部は、上記第１のコネクタの外面に設けられた係合部と、上記第１のコネクタの係合部と係合すると共に上記第２のコネクタの外面に設けられた係合部とを含むので、上記第１のコネクタの係合部および上記第２のコネクタの係合部によって、他の部材が、上記電気的接続部から上記一定の寸法内に進入するのを防ぐことができる。このように、上記係合部は、他の部材との上記一定の寸法を確保するスペーサの役割と、上記二つのコネクタを係合するストッパの役割とを兼用して、部品数の減少を図ることができる。
【００１６】
また、一実施形態の端子接続構造体では、
上記端子接続箱体は、
上記雄端子を内部に取り付ける断面略矩形の第１のコネクタと、
上記雌端子を内部に取り付ける断面略矩形の第２のコネクタと、
上記第１のコネクタの上記雄端子の入力側に取り付けられて上記雄端子を抜け止めする第１のリテーナと、
上記第２のコネクタの上記雌端子の入力側に取り付けられて上記雌端子を抜け止めする第２のリテーナと
を有し、
上記第１のコネクタと上記第２のコネクタは接続され、上記雄端子と上記雌端子は接続され、
上記第１のリテーナは、上記第１のコネクタから突出している外鍔部を有し、
上記第２のリテーナは、上記第２のコネクタから突出している外鍔部を有し、
上記第１のコネクタの外面には、上記第１のリテーナの外鍔部に係止して、上記第１のリテーナが上記第１のコネクタから抜けるのを防止する係止片が設けられ、
上記第２のコネクタの外面には、上記第２のリテーナの外鍔部に係止して、上記第２のリテーナが上記第２のコネクタから抜けるのを防止する係止片が設けられ、
上記端子接続箱体の上記突出部は、上記第１のコネクタの係止片と、上記第２のコネクタの係止片とを含む。
【００１７】
この一実施形態の端子接続構造体によれば、上記端子接続箱体の上記突出部は、上記第１のコネクタの係止片と、上記第２のコネクタの係止片とを含むので、上記第１のコネクタの係止片および上記第２のコネクタの係止片によって、他の部材が、上記電気的接続部から上記一定の寸法内に進入するのを防ぐことができる。このように、上記係止片は、他の部材との上記一定の寸法を確保するスペーサの役割と、上記コネクタから上記リテーナが抜けるのを防止するストッパの役割とを兼用して、部品数の減少を図ることができる。また、既存のリテーナを用いることができる。
【００１８】
また、一実施形態の端子接続構造体では、
上記端子接続箱体は、
上記雄端子を内部に取り付ける断面略矩形の第１のコネクタと、
上記雌端子を内部に取り付ける断面略矩形の第２のコネクタと
を有し、
上記第１のコネクタと上記第２のコネクタは接続され、上記雄端子と上記雌端子は接続され、
上記端子接続箱体の上記突出部は、上記第１のコネクタの外面または上記第２のコネクタの外面に設けられた突起部を含む。
【００１９】
この一実施形態の端子接続構造体によれば、上記端子接続箱体の上記突出部は、上記第１のコネクタの外面または上記第２のコネクタの外面に設けられた突起部を含むので、上記第１のコネクタの外面または上記第２のコネクタの外面に設けられた突起部によって、他の部材が、上記電気的接続部から上記一定の寸法内に進入するのを防ぐことができる。また、上記突起部は、上記第１のコネクタの外面または上記第２のコネクタの外面に設けられているので、簡単な構成で、製造が容易になる。
【００２０】
また、この発明の冷蔵庫は、上記端子接続構造体を備えることを特徴としている。
【００２１】
この発明の冷蔵庫によれば、上記端子接続構造体を備えるので、部品数を削減して、コストを低減できる。すなわち、耐火の安全規格を満たして、安全で、安価な冷蔵庫を実現できる。
【発明の効果】
【００２２】
この発明の端子接続構造体によれば、上記４つの仮想面と上記電気的接続部との間の距離は、上記一定の寸法以上であるので、他の部材と上記一定の寸法を確実に確保できると共に、上記端子接続箱体を無駄に厚くする必要がなく、部品数を削減して、コストを低減できる。
【００２３】
また、この発明の冷蔵庫によれば、上記端子接続構造体を備えるので、部品数を削減して、コストを低減できる。
【発明を実施するための最良の形態】
【００２４】
以下、この発明を図示の実施の形態により詳細に説明する。
【００２５】
（第１の実施形態）
図１は、この発明の端子接続構造体を適用した冷蔵庫の一実施形態である正面図を示している。図２は、この冷蔵庫の側面断面図を示している。図３は、この冷蔵庫の回路図を示す。
【００２６】
図１と図２に示すように、この冷蔵庫は、冷凍室２および冷蔵室３を有する冷蔵庫本体１と、この冷蔵庫本体１の冷凍室２に取り付けられた冷凍室扉５と、この冷蔵庫本体１の冷蔵室３に取り付けられた冷蔵室扉６とを備える。
【００２７】
上記冷凍室２と上記冷蔵室３とは、仕切り壁４によって区切られている。この仕切り壁４には、上記冷蔵室扉６の開閉により動作するドアスイッチ１３が取り付けられている。
【００２８】
上記冷凍室２の後方奥側には、取付板２２が設けられ、この取付板２２の後面には、冷却循環用のファンモータ(冷却用ファンモータ)８と、このファンモータ８の下方に冷却器９とが、取り付けられている。上記冷却器９の下部には、霜取り用の除霜ヒータ(電気ヒータ)１４が設置されている。
【００２９】
図１、図２および図３に示すように、この除霜ヒータ１４は、除霜タイマー１５の積算時間により、この除霜タイマー１５の接点が切り替わって、冷却回路から除霜回路に通電制御されて、上記除霜ヒータ１４は、発熱を始める。
【００３０】
この除霜ヒータ１４は、温度を上昇して、上記冷却器９の霜と氷を融解させると、上記冷却器９の上部に配置された除霜サーモスタット１６により、温度を検知されて、上記除霜ヒータ１４の発熱を停止する。その後、上記除霜タイマー１５の接点が、再び、除霜回路から冷却回路に切り替わって、通常の冷却運転を始める。
【００３１】
上記冷蔵室３の後方奥側の内面には、カバー部材２３が設けられ、このカバー部材２３の内部に、庫内照明用の庫内灯１１が庫内灯係止器具１０にて設置されている。
【００３２】
上記冷蔵室３の後部背面には、冷媒圧縮用の圧縮機(冷却用圧縮電動機)１２が設置されている。この圧縮機１２は、上記冷凍室２の内部に設置されたサーモスタット７の温度検知によって、このサーモスタット７の電気接点で、ＯＮ／ＯＦＦを断続運転して、庫内を一定温度に保つ。
【００３３】
図３に示すように、この冷蔵庫において、通電制御する電気回路としては、主として冷却回路と除霜回路である。この冷却回路において、上記圧縮機１２の動作電流は、230V定格電圧にて、約1.2Aとなり、上記除霜回路において、上記除霜ヒータ１４の動作電流は、230V定格電圧にて、約0.6Aとなる。なお、上記庫内灯１１は、230V定格電圧にて動作電流は約0.05Aとなって、0.2A未満の電流値であり、規格規定より適用除外となる。
【００３４】
上記冷凍室２内には、除霜ヒータ１４およびサーモスタット７の接続電線が、電源に接続されている。この電線の端子接続には、端子接続箱体（樹脂ハウジングコネクタ）５０が用いられている。
【００３５】
すなわち、上記冷却回路の端子接続箱体５０を介して、本体内部の配線より、サーモスタット７を経由して、電源から上記圧縮機１２までの電気回路が形成され、冷却時には、約1.2Aの電流が流れる。
【００３６】
一方、除霜回路の端子接続箱体５０を介して、本体内部の配線より、上記除霜ヒータ１４を経由して、電源から上記除霜ヒータ１４までの電気回路が形成され、除霜時には、約0.6Aの電流が流れる。なお、制御回路の構成上、上記冷却回路と上記除霜回路とは、同時に、電流が流れない。
【００３７】
上記端子接続箱体５０は、図４および図５に示すように、雄端子と雌端子とを内部で接続している断面略矩形であり、雄端子を内部に取り付ける断面略矩形の第１のコネクタ５１と、雌端子を内部に取り付ける断面略矩形の第２のコネクタ５２とを有する。上記第１のコネクタ５１と上記第２のコネクタ５２は接続され、上記雄端子と上記雌端子は接続されている。上記端子接続箱体５０等にて端子接続構造体を構成する。なお、図５中、雄端子と雌端子とを区別することなく、端子Ｔとして斜線にて表現する。
【００３８】
上記端子接続箱体５０は、４つの外面を有し、この４つの外面の内の３つの外面の各面に、突出部７６を有する。この突出部７６は、上記第１のコネクタ５１の外面に設けられた係合部７１と、上記第１のコネクタ５１の係合部７１と係合すると共に上記第２のコネクタ５２の外面に設けられた係合部７２とを含む。
【００３９】
上記端子接続箱体５０は、上記４つの外面に沿ってマトリクス状に配列されている複数の端子挿入口５５を有する。この端子挿入口５５は、６つあり、上記突出部７６のない外面に沿って３列に配置されると共に上記突出部７６のない外面から離隔する方向に２列に配置されている。すなわち、上記端子接続箱体５０は、いわゆる、３極上下２列の６極型である。ここで、上下方向とは、図５中の上下の方向をいい、上記突出部７６のない外面が下側である。
【００４０】
要するに、上記第１のコネクタ５１は、上記雄端子を挿入する（６つの）雄端子挿入口を有し、上記第２のコネクタ５２は、上記雌端子を挿入する（６つの）雌端子挿入口を有する。上記端子接続箱体５０の端子挿入口５５は、上記雄端子挿入口および上記雌端子挿入口によって、構成される。
【００４１】
上記突出部７６のない外面に対して最も近い側に沿って配列されている上記３つの上記端子挿入口５５以外の３つの上記端子挿入口５５において、上記雄端子と上記雌端子とを接続して電気的接続部Ｐを形成している。
【００４２】
そして、上記突出部７６のある外面の各面において、この各面に平行でかつこの各面の上記突出部７６に接する仮想面Ｆを形成する。上記突出部７６のない外面において、この外面に平行でかつこの外面に接する仮想面Ｆを形成する。
【００４３】
このように、上記端子接続箱体５０に対して４つの上記仮想面Ｆを形成するとき、この４つの仮想面Ｆと上記電気的接続部Ｐとの間の距離は、耐火の安全規格の一定の寸法（以下、一定の寸法という。）以上である。
【００４４】
また、上記突出部７６のない外面に対して最も近い側に沿って配列されている上記３つの端子挿入口５５において、上記雄端子と上記雌端子とを接続して上記電気的接続部Ｐを形成した場合、この電気的接続部Ｐと、上記突出部７６のない外面側の上記仮想面Ｆとの間の距離は、上記一定の寸法よりも小さい。
【００４５】
そして、通常連続通電され「人の注意が行き届かない状態で使用する機器」である家庭用電気機器に関する国際安全規定により、正常動作状態で0.2Aを超える電流が流れる接続部(ハウジングコネクタ)の絶縁物及び電気的接続点から3mm以内の絶縁物は、グローワイヤ燃焼性指数が850℃でかつグローワイヤ着火温度が775℃に適合すればよいということから、上記一定の寸法は、３ｍｍであり、上記端子接続箱体５０（上記コネクタ５１，５２）は、グローワイヤ燃焼性指数が850℃でかつグローワイヤ着火温度が775℃に適合する耐火性樹脂材である。また、上記締め付けバンド６３は、例えば、ポリアミド（ナイロン）である。
【００４６】
なお、上記国際安全規格の導出について、詳説する。
【００４７】
国際安全規格IEC60335-1 30.2項及び付属書O.2により、電気的接続点より3mm以内の樹脂絶縁材料の、連続通電され、「人の注意が行き届かない状態で使用する機器」である、電気冷蔵庫等は、30.2.3項を適用する。
【００４８】
国際安全規格IEC60335-1の30.2.3.1項規定により、正常動作状態で0.2Aを超える電流が流れる接続部の絶縁物及び前記接続部から3mm以内の絶縁物は、IEC60695-2-12規格に基づき、850℃以上のグローワイヤ燃焼性指数(GWFI:grow-wire flammability index)を有する物であること。
【００４９】
国際安全規格IEC60335-1の30.2.3.2項規定により、正常動作状態で0.2Aを超える電流が流れる接続部の絶縁物及び前記接続部から3mm以内の絶縁物は、IEC60695-2-11規格に定めたグローワイヤ(赤熱棒押当て)試験を適用する。
【００５０】
但し、IEC60695-2-13規格に基づき、グローワイヤ着火温度(GWIT:grow-wire igntion temperature)が、下記条件を満たしている場合は、グローワイヤ試験を適用しない。
・正常動作状態のもとで、0.2Aを超える電流が流れる接続部に使用している絶縁物、775℃;
・正常動作状態のもとで、0.2A以下の電流が流れる接続部に使用している絶縁物、675℃;
国際安全規格IEC60335-1の30.2.3.2項規定により、IEC60695-2-11試験規定を満たすが、当該試験を行っている間に、2秒以上持続する炎が発生する絶縁物には、さらに直径が20mmで長さが50mmの垂直シリンダーの筒形状範囲内で接続部の上方に使用している絶縁物に対して、付属書Eに定めたニードルフレーム(針状炎)試験を適用する。
【００５１】
但し、IEC60695-11-10規格に基づく、難燃性区分がV-0またはV-1が判明した場合は、ニードルフレーム(針状炎)試験を適用しない。この難燃性区分は、米国規格(UL94)の難燃性規定(Flammability)のV-0/V-1と同様の基準となる。
【００５２】
上記構成の端子接続構造体によれば、上記４つの仮想面Ｆと上記電気的接続部Ｐとの間の距離は、上記一定の寸法以上であるので、上記突出部７６によって、他の部材が、上記電気的接続部Ｐから上記一定の寸法内に進入するのを防ぐことができる。このように、他の部材と上記一定の寸法を確実に確保できると共に、上記端子接続箱体５０を無駄に厚くする必要がなく、部品数を削減して、コストを低減できる。例えば、上記一定の寸法は、３ｍｍであり、簡単な構造にて、この安全規格寸法を確保しつつ、他の耐火部材を不要にできる。
【００５３】
また、上記突出部７６のない外面に対して最も近い側に配列されている上記３つの端子挿入口５５以外の上記３つの端子挿入口５５において、上記雄端子と上記雌端子とを接続して電気的接続部Ｐを形成することで、この電気的接続部Ｐと、上記突出部７６のない外面側の上記仮想面Ｆとの間の距離を、上記一定の寸法以上にしているので、既存のコネクタを利用することができる。また、この端子接続構造体が、耐火の規格規定の適用から除外されると、上記一定の寸法を無視してもよくなり、この端子接続構造体は、上記突出部７６のない外面に対して最も近い側に配列されている上記３つの端子挿入口５５において、上記雄端子と上記雌端子とを接続して上記電気的接続部Ｐを形成することができる。
【００５４】
上記第１のコネクタ５１の係合部７１および上記第２のコネクタ５２の係合部７２は、他の部材との上記一定の寸法を確保するスペーサの役割と、上記第１のコネクタ５１と上記第２のコネクタ５２とを係合するストッパの役割とを兼用して、部品数の減少を図ることができる。
【００５５】
また、上記構成の冷蔵庫によれば、上記端子接続構造体を備えるので、部品数を削減して、コストを低減できる。すなわち、耐火の安全規格を満たして、安全で、安価な冷蔵庫を実現できる。
【００５６】
なお、図４および図５では、上記端子接続箱体５０（上記コネクタ５１，５２）が３極上下２列の６極型である場合を示しているが、これに限定されない。例えば、上下２列以上のコネクタであれば、下段１列は、使用されない。具体的に述べると、３極上中下３列の９極型のコネクタであれば、接続実装の可能な電線本数は、６本となり、４極上下２列の８極型のコネクタであれば、接続実装の可能な電線本数は、４本となる。
【００５７】
なお、上記端子接続箱体５０の材料に、米国規格(UL94)の難燃性(Flammability)のV-0区分以上を採用し、万一の電気発火時に延焼を防止するようにしてもよい。また、冷蔵庫内に水分が多量に存在する場合があり、上記端子接続箱体５０の材料に、米国規格(UL94)の比較トラッキング指数(CTI:Comparative Tracking Index)の0区分(600V以上)を採用し、万一の水分侵入時の上記端子接続箱体５０の表面層炭化劣化による発火延焼を防止するようにしてもよい。
【００５８】
（第２の実施形態）
図６と図７は、この発明の他の実施形態を示している。上記第１の実施形態と相違する点を説明すると、この第２の実施形態では、この端子接続箱体５０は、雄端子を内部に取り付ける第１のコネクタ８１と、雌端子を内部に取り付ける第２のコネクタ８２と、上記第１のコネクタ８１の雄端子の入力側に取り付けられて雄端子を抜け止めする第１のリテーナ９１と、上記第２のコネクタ８２の雌端子の入力側に取り付けられて雌端子を抜け止めする第２のリテーナ９２とを有する。
【００５９】
上記第１のリテーナ９１は、上記第１のコネクタ８１から突出している外鍔部９１ａと、上記第１のコネクタ８１の内部に挿入される筒部９１ｂとを有する。上記第２のリテーナ９２は、上記第２のコネクタ８２から突出している外鍔部９２ａと、上記第２のコネクタ８２の内部に挿入される筒部９２ｂとを有する。
【００６０】
ここで、上記第１のリテーナ９１が雄端子を抜け止めする構成としては、例えば、上記筒部９１ｂにて雄端子を弾発的に付勢することで、雄端子を抜け止めするようにしてもよい。また、上記第２のリテーナ９２についても同様とする。
【００６１】
上記第１のコネクタ８１は、対向する２つの外面（図７の左右の側面）のそれぞれに、上記第１のリテーナ９１の外鍔部９１ａに係止して、上記第１のリテーナ９１が上記第１のコネクタ８１から抜けるのを防止する係止片８１ａを有する。
【００６２】
上記第２のコネクタ８２は、対向する２つの外面（図７の左右の側面）のそれぞれに、上記第２のリテーナ９２の外鍔部９２ａに係止して、上記第２のリテーナ９２が上記第２のコネクタ８２から抜けるのを防止する係止片８２ａを有する。
【００６３】
また、上記第１のコネクタ８１は、１つの外面（図７の上面）に、上記係合部７１を有する。上記第２のコネクタ８２は、１つの外面（図７の上面）に、上記係合部７２を有する。
【００６４】
このように、上記端子接続箱体５０の上記突出部７６は、上記第１のコネクタ８１の係止片８１ａと、上記第２のコネクタ８２の係止片８２ａと、上記第１のコネクタ８１の係合部７１と、上記第２のコネクタ８２の係合部７２とを含む。
【００６５】
上記第１の実施形態と同様に、上記突出部７６のない外面に対して最も近い側に配列されている上記３つの上記端子挿入口５５以外の３つの上記端子挿入口５５において、上記雄端子と上記雌端子とを接続して電気的接続部Ｐを形成している。
【００６６】
そして、上記突出部７６のある外面の各面において、この各面に平行でかつこの各面の上記突出部７６に接する仮想面Ｆを形成する。上記突出部７６のない外面において、この外面に平行でかつこの外面に接する仮想面Ｆを形成する。
【００６７】
このように、上記端子接続箱体５０に対して４つの上記仮想面Ｆを形成するとき、この４つの仮想面Ｆと上記電気的接続部Ｐとの間の距離は、上記一定の寸法以上である。
【００６８】
上記構成の端子接続構造体によれば、上記端子接続箱体５０の上記突出部７６は、上記第１のコネクタ８１の係止片８１ａと、上記第２のコネクタ８２の係止片８２ａとを含むので、上記第１のコネクタ８１の係止片８１ａおよび上記第２のコネクタ８２の係止片８２ａによって、他の部材が、上記電気的接続部Ｐから上記一定の寸法内に進入するのを防ぐことができる。このように、上記係止片８１ａ，８２ａは、他の部材との上記一定の寸法を確保するスペーサの役割と、上記コネクタ８１，８２から上記リテーナ９１，９２が抜けるのを防止するストッパの役割とを兼用して、部品数の減少を図ることができる。また、既存のリテーナを用いることができる。
【００６９】
（第３の実施形態）
図８と図９は、この発明の別の実施形態を示している。上記第１の実施形態と相違する点を説明すると、この第３の実施形態では、この端子接続箱体５０は、雄端子を内部に取り付ける第１のコネクタ６１と、雌端子を内部に取り付ける第２のコネクタ６２とを有する。
【００７０】
上記第２のコネクタ６２は、対向する２つの外面（図９の左右の側面）のそれぞれに、突起部６３を有する。従来、この突起部６３は、冷蔵庫内部の構造物、例えば樹脂パネルや金属パネル等に固定されて、上記端子接続箱体５０を上記構造物に固定していた。しかしながら、本発明では、この突起部６３を冷蔵庫内部の上記構造物に固定せず、上記仮想面Ｆに接する外面として利用する。なお、上記第２のコネクタ６２の代わりに、上記第１のコネクタ６１に、上記突起部６３を設けてもよい。
【００７１】
また、上記第１のコネクタ６１は、１つの外面（図９の上面）に、上記係合部７１を有する。上記第２のコネクタ６２は、１つの外面（図９の上面）に、上記係合部７２を有する。
【００７２】
このように、上記端子接続箱体５０の上記突出部７６は、上記第２のコネクタ８２の突起部６３と、上記第１のコネクタ６１の係合部７１と、上記第２のコネクタ６２の係合部７２とを含む。
【００７３】
上記第１の実施形態と同様に、上記突出部７６のない外面に対して最も近い側に配列されている上記３つの上記端子挿入口５５以外の３つの上記端子挿入口５５において、上記雄端子と上記雌端子とを接続して電気的接続部Ｐを形成している。
【００７４】
そして、上記突出部７６のある外面の各面において、この各面に平行でかつこの各面の上記突出部７６に接する仮想面Ｆを形成する。上記突出部７６のない外面において、この外面に平行でかつこの外面に接する仮想面Ｆを形成する。
【００７５】
このように、上記端子接続箱体５０に対して４つの上記仮想面Ｆを形成するとき、この４つの仮想面Ｆと上記電気的接続部Ｐとの間の距離は、上記一定の寸法以上である。
【００７６】
上記構成の端子接続構造体によれば、上記端子接続箱体５０の上記突出部７６は、上記第１のコネクタ６１の外面または上記第２のコネクタ６２の外面に設けられた突起部６３を含むので、上記第１のコネクタ６１の外面または上記第２のコネクタ６２の外面に設けられた突起部６３によって、他の部材が、上記電気的接続部Ｐから上記一定の寸法内に進入するのを防ぐことができる。また、上記突起部６３は、上記第１のコネクタ６１の外面または上記第２のコネクタ６２の外面に設けられているので、簡単な構成で、製造が容易になる。このように、上記突起部６３は、他の部材との上記一定の寸法を確保するスペーサの役割と、上記構造物に固定される位置決めの役割とを兼用して、部品数の減少を図ることができる。
【００７７】
なお、この発明は上述の実施形態に限定されない。例えば、上記端子接続箱体５０は、上記４つの外面の内の１つまたは２つの外面の各面に、上記突出部７６を有するようにしてもよい。このとき、上記突出部７６のない外面の各面に対して最も近い側に配列されている上記端子挿入口５５において、上記雄端子および上記雌端子は挿入されずに、上記電気的接続部Ｐは形成されない。例えば、図５において、上記端子接続箱体５０の下面に加えて、上記端子接続箱体５０の左面に上記突出部７６を設けないようにした場合、下段に加えて最も左側の列の上記端子挿入口５５には、上記電気的接続部Ｐは形成されない。
【００７８】
また、上記突出部７６として、上記係合部７１，７２、上記係止片８１ａ，８２ａおよび上記突起部６３の組み合わせは、自由である。また、上記第１のリテーナ９１の外鍔部９１ａを上記第１のコネクタ８１の外面より突出するようにし、上記第２のリテーナ９２の外鍔部９２ａを上記第２のコネクタ８２の外面より突出するようにして、上記第１のリテーナ９１の外鍔部９１ａおよび上記第２のリテーナ９２の外鍔部９２ａによって、他の部材が、上記電気的接続部Ｐから一定の寸法内に進入するのを防ぐようにしてもよい。
【００７９】
また、上記端子接続構造体５０は、 電子レンジ、エアコン、洗濯機、除湿機および空気清浄機等の家庭用電気機器についても、同様に適用可能となる。
【図面の簡単な説明】
【００８０】
【図１】本発明の冷蔵庫の一実施形態を示す正面図である。
【図２】冷蔵庫の側面断面図である。
【図３】冷蔵庫の回路図である。
【図４】本発明の端子接続構造体の正面図である。
【図５】端子接続構造体の作用説明を兼ねた側面断面図である。
【図６】他の端子接続構造体の平面図である。
【図７】他の端子接続構造体の作用説明を兼ねた側面断面図である。
【図８】別の端子接続構造体の平面図である。
【図９】別の端子接続構造体の作用説明を兼ねた側面断面図である。
【図１０】従来の端子接続構造体を示す断面図である。
【符号の説明】
【００８１】
５０    端子接続箱体
５１    第１のコネクタ
５２    第２のコネクタ
５５    端子挿入口
６１    第１のコネクタ
６２    第２のコネクタ
６３    突起部
７１，７２    係合部
７６    突出部
８１    第１のコネクタ
８１ａ    係止片
８２    第２のコネクタ
８２ａ    係止片
９１    第１のリテーナ
９１ａ    外鍔部
９２    第２のリテーナ
９２ａ    外鍔部
Ｆ    仮想面
Ｐ    電気的接続部
Ｔ    端子
【図１】
2006196303.tif 000003
【図２】
2006196303.tif 000004
【図３】
2006196303.tif 000005
【図４】
2006196303.tif 000006
【図５】
2006196303.tif 000007
【図６】
2006196303.tif 000008
【図７】
2006196303.tif 000009
【図８】
2006196303.tif 000010
【図９】
2006196303.tif 000011
【図１０】
2006196303.tif 000012